(57)【要約】  本発明は，移動体ノードと，第１パケット交換ノードと，第２パケット交換ノードとを備える移動体通信システムにおいて圧縮パラメータを送信する方法に関する。本方法においては，移動体ノードが第２パケット交換ノードの制御するエリアに入ると，第２パケット交換ノードに通知される。第１パケット交換ノードから第２パケット交換ノードへ，少なくとも１つの圧縮パラメータが受信される。第２パケット交換ノードは，論理リンクコネクションに関して第３層パラメータ再ネゴシエーションによって移動体ノードに少なくとも１つの圧縮パラメータのうち少なくとも一つを通知する。本発明の利点は，移動体ノードを出入りするパケットデータ送信の改善された信頼性に関する。
2008502188.tif 000002
【特許請求の範囲】
【請求項１】
移動体ノードと，第１パケット交換ノードと，第２パケット交換ノードとを備える移動体通信ネットワークにおいて圧縮パラメータを送信する方法であって，該方法が，
前記第２パケット交換ノードによって制御されるエリアに前記移動体ノードが入ったことを，前記第２パケット交換ノードに通知するステップと，
前記第１パケット交換ノードから前記第２パケット交換ノードへ少なくとも１つの圧縮パラメータを受信するステップと，
前記第２パケット交換ノードが，前記少なくとも１つの圧縮パラメータのうち少なくとも１つを，論理リンクコネクションの第３層パラメータ再ネゴシエーションによって前記移動体ノードに通知するステップと，を有する方法。
【請求項２】
前記方法が，
前記移動体ノードが，新たなエリアに属するセルに前記移動体ノードが入ったことを検知するステップと，
前記移動体ノードが，前記新たなエリアに前記移動体ノードが入ったことを基地局サブシステムに通知するステップと，
前記第２パケット交換ノードが，前記第１パケット交換ノードに前記移動体ノードに関する情報を要求するステップと，を更に有する請求項１に記載の方法。
【請求項３】
前記移動体通信ネットワークを一般パケット無線サービス（ＧＰＲＳ）とし，前記第１パケット交換ノード及び前記第２パケット交換ノードをサービス提供ＧＰＲＳサポートノード（ＳＧＳＮ）とし，かつ前記論理リンクコネクションをＧＰＲＳ論理リンク制御（ＬＬＣ）コネクションとする請求項１に記載の方法。
【請求項４】
前記第２パケット交換ノードによって制御されるエリアに前記移動体ノードが入ったことを前記第２パケット交換ノードに通知する前記ステップが，前記移動体ノードから前記第２パケット交換ノードへ経路制御エリア更新メッセージを送信するステップを有する請求項３に記載の方法。
【請求項５】
前記少なくとも１つの圧縮パラメータが，圧縮エンティティと，前記圧縮エンティティが用いるアルゴリズムと，前記圧縮エンティティに関連付けられた状態情報とに関する情報を含む請求項３に記載の方法。
【請求項６】
前記第２パケット交換ノードによって制御されるエリアに前記移動体ノードが入ったことを前記第２パケット交換ノードに通知する前記ステップが，前記第１パケット交換ノードから前記第２パケット交換ノードへハンドオーバ準備要求メッセージを送信するステップを有する請求項１に記載の方法。
【請求項７】
前記第３層パラメータ再ネゴシエーションが，識別情報交換ネゴシエーションを含む請求項１に記載の方法。
【請求項８】
移動体通信システムであって，
移動体ノードであって前記第２パケット交換ノードによって制御されるエリアに前記移動体ノードが入ったことを，前記第２パケット交換ノードに通知する移動体ノードと，
第１パケット交換ノードとを備え，
前記第２パケット交換ノードが，前記第１パケット交換ノードから少なくとも１つの圧縮パラメータを受信し，前記少なくとも１つの圧縮パラメータメタデータのうち少なくとも１つを前記移動体ノードへ，論理リンクコネクションの第３層パラメータネゴシエーションによって通知するように構成された移動体通信システム。
【請求項９】
前記移動体ノードが，新たなエリアに属するセルに前記移動体ノードが入ったことを検知し，前記新たなエリアに前記移動体ノードが入ったことを基地局サブシステムへ通知するように更に構成され，かつ
前記第２パケット交換ノードが，前記第１パケット交換ノードに前記移動体ノードに関する情報を要求するように更に構成された請求項８に記載の移動体通信システム。
【請求項１０】
前記移動体通信ネットワークが一般パケット無線サービス（ＧＰＲＳ）ネットワークを含み，前記第１パケット交換ノード及び前記第２パケット交換ノードがサービス提供ＧＰＲＳサポートノード（ＳＧＳＮ）を含み，かつ前記論理リンクコネクションをＧＰＲＳ論理リンク制御（ＬＬＣ）コネクションとする請求項８に記載の移動体通信システム。
【請求項１１】
前記移動体ノードから前記第２パケット交換ノードへ経路制御エリア更新メッセージを送信することによって，前記第２パケット交換ノードによって制御されるエリアに前記移動体ノードが入ったことを，前記移動体ノードが前記第２パケット交換ノードに通知する請求項１０に記載の移動体通信システム。
【請求項１２】
前記少なくとも１つの圧縮パラメータが，圧縮エンティティと，前記圧縮エンティティが用いるアルゴリズムと，前記圧縮エンティティに関連付けられた状態情報とに関する情報を含む請求項１１に記載の移動体通信システム。
【請求項１３】
前記第１パケット交換ノードから前記第２パケット交換ノードへハンドオーバ準備要求メッセージを送信することによって，前記第２パケット交換ノードによって制御されるエリアに前記移動体ノードが入ったことを，前記移動体ノードが前記第２パケット交換ノードに通知する請求項８に記載の移動体通信システム。
【請求項１４】
前記第３層パラメータ再ネゴシエーションが，識別情報交換ネゴシエーションを含む請求項８に記載の移動体通信システム。
【請求項１５】
パケット交換ノードであって，
移動体ノードと圧縮パラメータをネゴシエーションし，信号通知プレーンプロトコルエンティティに少なくとも１つの圧縮パラメータを提供するように構成されたユーザプレーンプロトコルエンティティと，
前記移動体ノードが新たなエリアに入ったことの指示を受信し，前記ユーザプレーンプロトコルエンティティに圧縮情報を要求し，応答として前記ユーザプレーンプロトコルエンティティから少なくとも１つの圧縮パラメータを受信し，かつ前記少なくとも１つの圧縮パラメータを第２パケット交換ノードへ送信するように構成された信号通知プレーンプロトコルエンティティとを備えるパケット交換ノード。
【請求項１６】
パケット交換ノードであって，
前記少なくとも１つの圧縮パラメータメタデータのうち少なくとも１つを前記移動体ノードへ，論理リンクコネクションの第３層パラメータ再ネゴシエーションによって通知するように構成されたユーザプレーンプロトコルエンティティと，
前記移動体ノードが新たなエリアに入ったことの指示を受信し，前記ユーザプレーンプロトコルエンティティに圧縮情報を要求し，かつ応答として前記ユーザプレーンプロトコルエンティティから少なくとも１つの圧縮パラメータを受信するように構成された信号通知プレーンプロトコルエンティティとを備えるパケット交換ノード。
【請求項１７】
データ処理システム上で実行したときに次の各ステップを実行するように適応させたコードを含む計算機プログラムであって，
移動体ノードが第２パケット交換ノードによって制御されるエリアに入った情報を受信するステップと，
第１パケット交換ノードから少なくとも１つの圧縮パラメータを受信するステップと，
前記少なくとも１つの圧縮パラメータのうち少なくとも１つを前記移動体ノードへ，論理リンクコネクションの第３層パラメータ再ネゴシエーションによって通知するステップと，を有する計算機プログラム。
【請求項１８】
前記計算機プログラムが，計算機可読媒体に格納されている請求項１７に記載の計算機プログラム。
【請求項１９】
前記計算機可読媒体を，着脱可能メモリカードとする請求項１８に記載の計算機プログラム。
【請求項２０】
前記計算機可読媒体を，磁気ディスク又は光ディスクとする請求項１８に記載の計算機プログラム。
【発明の詳細な説明】
【技術分野】
【０００１】
本発明は移動体通信システムに関する。特に本発明は，移動体通信システムにおけるパケットヘッダ及びデータ圧縮パラメータの転送に関する。
【背景技術】
【０００２】
無線データ送信に関連した欠点は，有線データ送信に比べてデータ転送レートが限られていることである。特に特定の周波数帯域を幾人かの同時利用ユーザが共有しなければならないセルラ移動体通信システムにおいては，データ転送レートが限られる。セルラ移動体通信システムにおいてパケットデータを転送するとき，アプリケーション層データ送信が利用できるデータ転送レートは，フレームヘッダ及びパケットヘッダのために更に減少する。例えば，送信制御プロトコル（ＴＣＰ）がインターネットプロトコル（ＩＰ）第４版上で搬送されるとき，総ヘッダサイズは４０バイトであり，そのうちＴＣＰ層ヘッダが２０バイトを占め，ＩＰ層ヘッダが２０バイトを占める。ＩＰｖ６においては，ＩＰ層ヘッダサイズが４０バイトである。ＩＰ内ＩＰトンネリングが例えば移動体ＩＰと関連して用いられるときは，問題がより深刻になる。
【０００３】
無線及び一般に低速なリンクに関する上述の問題を軽減するために，ペイロードデータ及びヘッダの圧縮スキームが導入された。そのようなヘッダ圧縮スキームの例は，インターネット技術タスクフォース（ＩＥＴＦ）コメント要求（ＲＦＣ）１１４４に規定されたVan Jacobsonヘッダ圧縮及びＩＥＴＦ ＲＦＣ２５０７に規定されたDegermarkヘッダ圧縮である。ペイロードデータ圧縮スキームの例は，国際電気通信連合（ＩＴＵ−Ｔ）によるＶ．４２ｂｉｓである。
【０００４】
一般にヘッダ圧縮は，ヘッダの大部分が，典型的なＴＣＰ／ＩＰコネクション過程の間，一定の情報を含むことに頼っている。これに類似して，はん用データプロトコル（ＵＤＰ）がＩＰ上を搬送されるとき，パケットヘッダのほとんどの部分は任意の特定のフローにおいて一定であり，それは例えばストリーミングのマルチメディアを搬送するものである。ＩＰヘッダはいくつかのフィールドを含む。一連のＩＰパケットが送信されるとき，引き続くパケット間で変化しないフィールドを繰り返し送信する必要はない。これらのフィールドは通常，わずか又は予測可能な値で変化する。例えばＴＣＰヘッダ内のＴＣＰシーケンス番号は，それらのフィールドの値を送信するために必要なビット数が大幅に減少するように，増分として符号化することができる。例えばチェックサム又は認証データのようにしばしば，かつ無作為に変化するフィールドだけは，各ヘッダ内で全体を送信する必要がある。ヘッダ圧縮においては，ときどき完全なヘッダを持つパケットが送信され，それがコンテキストを確立する。そこで引き続くパケットにおいては，圧縮されたヘッダは確立されたコンテキストを参照し，コンテキストに対する増分変化値を含むことができる。ヘッダ圧縮が動作するためには，送信者と受信者が同一のコンテキストを維持する必要がある。例えばＴＣＰ／ＩＰコネクション又はＵＤＰパケットフローである同一のリンク上を搬送されるさまざまなパケットストリームをサポートするために，送信者側及び受信者側にいくつかの別のコンテキストを維持することができる。
【０００５】
ペイロードデータ圧縮は一方，パケットのペイロードにおいて搬送されるデータの冗長性に頼る。例えば，パケット内に反復する文字列があるかもしれない。圧縮は，非圧縮データに含まれる文字列についての情報を含む符号辞書を，送信者側及び受信者側で維持することによって行われる。符号辞書によって送信者は，送信が圧縮モードで行われるとき，文字列全体の代わりに符号を参照することができる。Ｖ．４２ｂｉｓ圧縮はLempel-Ziv-Welchアルゴリズムに頼る。Lempel-Ziv-Welchアルゴリズムについての更なる情報は，例えば米国特許第４，９５５，０６６号，第４，７０１，７４５号及び第５，０１６，００９号で得ることができる。
【０００６】
移動体通信システムに関しては，ヘッダ圧縮及びペイロードデータ圧縮は，例えば一般パケット無線システム（ＧＰＲＳ）において標準化されている。ヘッダ圧縮及びペイロードデータ圧縮は，移動機と基地局との間の無線インタフェース上を送信されるデータ量を減少させるために，移動機とサービス提供ＧＰＲＳサポートノード（ＳＧＳＮ）との間で用いられる。
【０００７】
ここで，ＧＳＭ ＥＤＧＥ無線接続ネットワーク（ＧＥＲＡＮ）に関連する，ＧＰＲＳにおけるアーキテクチャ及びプロトコルスタックを示すブロック図である図１を参照する。ＧＰＲＳシステムは，例えば第３世代パートナシッププロジェクト（３ＧＰＰ）仕様書２３．０６０に規定されている。プロトコルスタックは，ユーザプレーンの観点で図示されている。図１には，ゲートウェイＧＰＲＳサポートノード（ＧＧＳＮ）１０６がある。ＧＧＳＮ１０６は，Ｇｉインタフェースを介して外部ネットワーク（図示されていない）に接続されている。外部ネットワークは，例えばインターネット又はイントラネットのような任意のＩＰネットワークであってよい。図１にはまた，サービス提供ＧＰＲＳサポートノード（ＳＧＳＮ）１０４もある。ＧＧＳＮ１０６はＳＧＳＮ１０４と通信し，後者は基地局サブシステム（ＢＳＳ）を介して移動機（ＭＳ）１００にパケットを送信する。ＳＧＳＮ１０４は，移動機１００の位置情報維持管理と，ネットワーク登録と，経路制御エリア及び位置の更新と，パケットデータコンテキスト（ＰＤＰ）の活性化及び非活性化と，ハンドオーバと，移動機１００の呼出しとのような移動性に関する仕事を行う。上記の仕事の一部は，ＳＧＳＮ１０４が通信するほかのネットワーク要素においても当然に行われる。ＧＧＳＮは，ＳＧＳＮ１０４及びほかのＳＧＳＮのいくつかに出入りするパケットの経路制御及びトンネリングを行う。経路制御は，ＧＧＳＮ１０６が保持するパケットデータプロトコル（ＰＤＰ）コンテキスト内で維持管理されるＳＧＳＮアドレス情報に基づく。ＭＳ１００のために活性化されたネットワークアドレス，例えばＩＰアドレス又はＸ．２５アドレス，若しくはＰＰＰリンクごとに，少なくとも１つのＰＤＰコンテキストがある。
【０００８】
図１において，ＭＳ１００における最上位プロトコル層はアプリケーション層（ＡＰＰＬ）である。アプリケーション層は，例えば無線アプリケーションプロトコル（ＷＡＰ）標準のプロトコル，送信制御プロトコル（ＴＣＰ），又ははん用データグラムプロトコル（ＵＤＰ）など，任意のプロトコルであってよい。ＴＣＰ／ＩＰ上で，例えばハイパテキスト転送プロトコル（ＨＴＴＰ）を搬送することができる。アプリケーション層通信は，例えばインターネット内にある，Ｇｉインタフェースの後ろに位置するかもしれない対向ホストと交わされる。アプリケーション層の下にはＩＰ層又は代替としてＸ．２５層があり，それらはＧＰＲＳにおいてはＭＳ１００及びＧＧＳＮ１０６双方によってサポートされる。ＭＳ１００にあてたパケットのＩＰアドレスは，ＧＧＳＮ１０６を指す。ＩＰパケット１１４は，ＩＰ層の下のＧＰＲＳユーザプレーンプロトコルを用いてＭＳ１００に運ばれる。ＧＧＳＮ１０６とＳＧＳＮ１０４との間では，ＧＰＲＳトンネリングプロトコル（ＧＴＰ）を用いてＩＰパケット１１４が運ばれる。ＧＴＰパケットは更に，ＵＤＰ／ＩＰ上で搬送される。
【０００９】
ＳＧＳＮ１０４において，ＩＰパケット１１４のデータはＭＳ１００の位置情報に基づいて経路制御され，サブネットワーク依存性融合プロトコル（ＳＮＤＣＰ）層へ回送される。ＳＮＤＣＰは３ＧＰＰ仕様書４４．０６５に規定されている。ＳＮＤＣＰ層は，ネットワークレベルの特性を下位にあるネットワークの特性にマッピングする。例えばＳＮＤＣＰは，ＩＰパケットを搬送するネットワーク層プロトコルデータユニット（Ｎ−ＰＤＵ）の送信及び受信を行う。例えばＩＰパケット１１４は，Ｎ−ＰＤＵ１１２で搬送される。ＳＮＤＣＰは，いくつかのパケットデータプロトコルパケットを同一のＭＳのために多重化する。ＳＮＤＣＰは，ＩＰパケット１１４を例えばＬＬＣフレーム１１０にセグメント化する。ＳＮＤＣＰはまた，ＬＬＣフレームからのパケットを再組み立てする。ヘッダ圧縮及びデータ圧縮もまた，ＳＮＤＣＰ層において行われる。３ＧＰＰ仕様書２３．０６０において言及されているヘッダ圧縮スキームは，ＴＣＰ／ＩＰヘッダ圧縮を含む。データ圧縮のための方法としては，Ｖ．２４ｂｉｓが言及されている。ＳＮＤＣＰ層にはいくつかの圧縮エンティティ（図示されていない）があって，それらのそれぞれはアルゴリズム及びエンティティ特定パラメータに関連付けられている。各ＳＮＤＣＰエンティティはプロトコル制御情報圧縮をサポートしており，３ＧＰＰ仕様書４４．０６４に規定されたとおり，ＸＩＤパラメータネゴシエーションを用いて少なくとも１つのプロトコル制御情報圧縮エンティティをネゴシエーションすることができる。手順を開始したＳＮＤＣＰエンティティは，各圧縮エンティティのアルゴリズム及びパラメータとともに，要求された圧縮エンティティの組を定義する。圧縮エンティティの組並びにそれらのアルゴリズム及びパラメータは，対向ＳＮＤＣＰエンティティへ送信される。対向ＳＮＤＣＰエンティティは，ネゴシエーションされた圧縮エンティティの組並びにそれらのアルゴリズム及びパラメータで応答する。対向ＳＮＤＣＰエンティティは，ネゴシエーションされた圧縮エンティティのために，提案されたパラメータ値又はほかの適当な値を選択する。用いられた圧縮エンティティの組並びにそれらのアルゴリズム及びパラメータについての情報を，以降ＳＮＤＣＰ圧縮パラメータと呼ぶことにする。ＳＮＤＣＰ層において保持されるほかの圧縮情報は，例えば少なくとも１つのヘッダ圧縮コンテキスト及び少なくとも１つの符号辞書を含む。ＳＮＤＣＰは，ＭＳ１００とＳＧＳＮ１０４との間でパラメータネゴシエーションを行う。ＳＮＤＣＰはまた，確認モードサービスの場合にＮ−ＰＤＵをバッファする。
【００１０】
論理リンク制御（ＬＬＣ）層は，ＭＳ１００とＳＧＳＮ１０４との間に高信頼リンクを提供する。ＬＬＣは３ＧＰＰ仕様書４４．０６４及び０４．６４に規定されている。ＬＬＣは下位にある無線プロトコルから独立しており，ＬＬＣ層のユーザからＢＳＳ及び無線インタフェースに関連した仕事を隠蔽する。ＬＬＣは可変長情報フレームをサポートする。ＬＬＣは，確認データ転送及び非確認データ転送，すなわち確認動作モード及び非確認動作モードをサポートする。ＬＬＣは，パラメータネゴシエーションと，非同期平衡モード（ＡＢＭ）におけるフロー制御と，ＬＬＣフレームの順序維持のためのシーケンス制御と，高優先度データの特別配信と，エラー検出と，エラー回復と，エラー指示とを含むリンク層に典型的なサービスを提供する。ＬＬＣは，ＬＬＣフレームの内容を暗号化することによってデータ秘匿を行う。ＬＬＣはまた，国際移動体通信加入者識別情報（ＩＭＳＩ）の代わりに一時論理リンク識別情報（ＴＬＬＩ）を用いることによって，ユーザ識別情報の秘匿も行う。サービス接続点識別子（ＳＡＰＩ）は，論理リンクエンティティ（ＬＬＥ），換言すればＬＬＣエンティティが，第３層エンティティにＬＬＣサービスを提供する点を識別する。結果的にＳＡＰＩは，ＬＬＣフレームを処理するＬＬＥ，及びそのＬＬＣフレームによって搬送される情報を受信することになっている第３層エンティティもまた識別する。第３層エンティティは，例えばＳＮＤＣＰエンティティである。
【００１１】
中継層は，ＢＳＳ内のＵｍインタフェースとＧｂインタフェースとの間でＬＬＣ ＰＤＵを中継する。３ＧＰＰ仕様書０８．１８に規定されている基地局システムＧＰＲＳプロトコル（ＢＳＳＧＰ）層は，ＢＳＳとＳＧＳＮとの間で経路制御及びＱｏＳに関連した情報を運ぶ。例えばＢＳＳＧＰ層は，ＳＧＳＮからＢＳＳ１０２へ無線リソース関連の要求を搬送する。ＢＳＳＧＰ層はまた，ＢＳＳとＳＧＳＮとの間でＬＬＣフレームも搬送する。ＬＬＣフレームに加えてＢＳＳＧＰ層はまた，ＧＰＲＳ移動性管理に関連した信号通知ＰＤＵも搬送する。ネットワークサービス（ＮＳ）層は，ＢＳＳとＳＧＳＮとの間でＢＳＳＧＰ ＰＤＵを運ぶ。ＮＳは，フレームリレー（ＦＲ）に基づいてもよい。ＲＬＣ／ＭＡＣ層内のＲＬＣ副層は，ＭＳ１００とＢＳＳ１０２との間の無線技術依存高信頼リンクを提供する。ＭＡＣ副層は，無線リソースの要求及び予約を行い，ＬＬＣフレームをＧＳＭ物理チャネルにマッピングする。ＭＡＣ層の仕事は，いくつかの移動機が共通無線リソースを効率的に共有することを保証することである。ＲＬＣ／ＭＡＣ層は，３ＧＰＰ仕様書ＧＳＭ０４．６０に規定されている。
【００１２】
ここで，先行技術によるＧＰＲＳネットワークにおける，経路制御エリア更新前後のパケット送信を示すブロック図である図２を参照する。図２には，ＭＳ１００と，基地局（ＢＴＳ）２２４〜２２８と，ＢＳＳ２１６内の基地局コントローラ（ＢＳＣ）２１０〜２１４とがある。ＩＰネットワーク２０１に接続されたＧＧＳＮ２００もある。ＩＰネットワーク２０１からダウンリンクパケットストリーム２４０が受信される。始めにダウンリンクパケットフロー２４０は，ＧＧＳＮ２００からＳＧＳＮ２０２へパケットストリーム２４１としてトンネリングされる。始めにＳＧＳＮ２０２は，パケットストリーム２４１のパケットを，ＢＳＣ２１２及びＢＴＳ２２２を介してパケットストリーム２４２としてＭＳ１００へ送る。パケットストリーム２４２は，ＳＧＳＮ２０２内のＳＮＤＣＰエンティティ２５２からＭＳ１００内のＳＮＤＣＰエンティティ２３０へ，双方のＳＮＤＣＰにサービスを提供するＬＬＣコネクションを用いて搬送される。ＢＳＣ２１２及びＢＴＳ２２２は，情報源ＢＳＳ２６２と呼ばれる。ＭＳ１００は，ＢＴＳ２２２を介してＢＳＣ２１２と通信する。経路制御エリア更新関連の信号通知において，ＳＧＳＮ２０２はＢＳＣ２１２及びＢＳＳ２６２内のＢＴＳ２２２を介してＭＳ１００と通信する。
【００１３】
ＭＳ１００が新たなセルがより良い無線品質を有することを検知すると，ＭＳはＢＴＳ２２４がサービスを提供するその新たなセルに滞在し始める。新たなセルは新たなＳＧＳＮ２０４のエリア内にある。ハンドオーバの後，パケットストリーム２４０はＧＧＳＮ２００からＳＧＳＮ２０４と，ＢＳＣ２１４と，ＢＴＳ２２４とを介してＭＳ１００へ送られなければならない。ＢＳＣ２１４及びＢＴＳ２２４はまた，目標ＢＳＳ２６４と呼ばれる。ＧＧＳＮ２００内でＰＤＰコンテキストがまだ更新されない間に，ＳＧＳＮ２０２はいずれの肯定応答されていないパケットもＳＧＳＮ２０４へ転送しなければならない。パケットはＳＧＳＮ２０２からパケットストリーム２４３として送信される。ＧＧＳＮ２００がＰＤＰコンテキスト更新要求を受信して処理した後，ＧＧＳＮはパケットストリーム２４０のパケットをパケットストリーム２４４として，ＳＧＳＮ２０４に直接送信を始めることができる。ＳＧＳＮ２０４は，パケットストリーム２４３及び２４４のパケットを，パケットストリーム２４５としてＭＳ１００へ送信する。パケットストリーム２４５は，ＳＧＳＮ２０４内のＳＮＤＣＰエンティティ２５４からＭＳ１００内のＳＮＤＣＰエンティティ２３０へ，双方のＳＮＤＣＰエンティティにサービスを提供するＬＬＣコネクションを用いて搬送される。経路制御エリア更新の検知後，パケットをＳＧＳＮ２０４からＭＳ１００へ送信する前に，ＳＮＤＣＰエンティティ２５４と２３０との間でＸＩＤリセット手続を行わなければならない。そうしないと，ＭＳ１００とＳＧＳＮ２５４とでＬＬＣパラメータが一致せず，すべてのＬＬＣフレームが拒絶されることになる。
【００１４】
ここで，図２に示したような先行技術によるＧＰＲＳネットワークにおける経路制御エリア更新信号通知を図示する信号図である図３を参照する。時刻ｔ１において，ＭＳ１００が新たなセル（図示されていない）を使用し始めなければならないことを指示するイベントを検出する。新たなセルは新たな経路制御エリア内にあり，その経路制御エリアは新たなＳＧＳＮ２０４によって制御される。ＭＳ１００は，矢印３０１で示すように経路制御エリア更新要求メッセージをＳＧＳＮ２０４に送信する。メッセージは，新たなセルを制御する目標ＢＳＳ２６４を介して送信される。ＳＧＳＮ２０４は，矢印３０２で示すＳＧＳＮコンテキスト要求メッセージを旧ＳＧＳＮ２０２へ送信し，ＭＳ１００の移動性管理及びＰＤＰコンテキストを取得する。ＳＧＳＮコンテキスト要求メッセージは例えば，旧経路制御エリアの識別子と，一時論理リンク識別子（ＴＬＬＩ）と，新たなＳＧＳＮアドレスとを含む。ＳＧＳＮ２０２は，矢印３０３で示すＳＧＳＮコンテキスト応答メッセージで応答する。ＳＧＳＮコンテキスト応答メッセージは，ＭＳ１００に関連付けられた移動性管理コンテキスト及び少なくとも１つのＰＤＰコンテキストを提供する。ＳＧＳＮコンテント応答メッセージを受信した後，ＳＧＳＮ２０４はＸＩＤリセット手続を開始することができる。ＸＩＤリセット手続は，矢印３０４で示すようにＳＧＳＮ２０４内のＳＮＤＣＰエンティティ２５４がＳＧＳＮ２０４内のＬＬＣエンティティにＸＩＤコマンドメッセージをＭＳ１００に送信するように要求することを含む。ＸＩＤリセットの場合，ＸＩＤコマンドメッセージはリセットパラメータを含み，それは対向ＬＬＣエンティティにＬＬＣパラメータをリセットするように伝える。ＭＳ１００は，矢印３０５で示すようにＸＩＤ応答メッセージでＸＩＤコマンドに肯定応答する。
【００１５】
３ＧＰＰ仕様書４４．０６４に規定されているように，リセットパラメータがＸＩＤコマンドメッセージ内に検出されると，ＸＩＤ手続においていくつかの操作が行われる。ＳＧＳＮ２０４内のＬＬＣエンティティ及びＭＳ１００に対する第３層のすべての保留中の要求は，どのような更なる操作もなしに廃棄される。進行中の非同期平衡モード，並びに解放及びＸＩＤネゴシエーション手続はどれも，リセットパラメータに関するＸＩＤネゴシエーションを除いて中止される。ＬＬＣ層パラメータは，既定値に設定される。ＡＢＭ状態にある論理リンクエンティティ（ＬＬＥ）はどれも，非同期切断モード（ＡＤＭ）状態に変更される。未確認の状態変数Ｖ（Ｕ）及びＶ（ＵＲ）は０に設定される。更に，非確認型情報転送のすべてのオーバフローカウンタ（ＯＣ）も０に設定される。
【００１６】
ＳＧＳＮ２０４のアドレスを受信した後，ＳＧＳＮ２０２は矢印３０６で示すようにパケットをＳＧＳＮ２０４に転送し始めることができる。ＳＧＳＮ２０４は，ＭＳ１００に対して活性なＰＤＰコンテキストを持つＧＧＳＮ内のＰＤＰコンテキストを更新しなければならない。ＰＤＰコンテキストの更新は，例えばＧＧＳＮのための新たなＳＧＳＮのアドレスを規定する。ＳＧＳＮ２０４は，それぞれ矢印３０７及び３０８で示すようにＧＧＳＮ２００にＰＤＰコンテキスト更新要求メッセージを送信し，肯定応答としてＰＤＰコンテキスト更新応答メッセージを受信する。矢印３０９及び３１０で示すように，経路制御エリア更新は，ＳＧＳＮ２０４がＭＳ１００に送信する経路制御エリア更新受諾メッセージで肯定応答され，ＭＳ１００は経路制御エリア更新完了メッセージをＳＧＳＮ２０４に送信することによって応答する。
【発明の開示】
【発明が解決しようとする課題】
【００１７】
ＸＩＤコマンドメッセージ内で規定されたＸＩＤリセットパラメータの処理に関連して行われるＡＢＭ解放は，先行技術においては重大な問題を引き起こす。ＸＩＤリセットの後，ＡＢＭモードはＭＳ１００に送信される非同期平衡モデル設定（ＳＡＢＭ）ネゴシエーションで再確立しなければならない。これは矢印３１０で示されている。ＡＢＭモード再確立に対するＭＳ１００からの非番号制肯定応答（ＵＡ）応答を矢印３１１で示す。
【００１８】
しかし，以前に用いられたＳＮＤＣＰパラメータの知識なしでは，ＭＳ１００と通信するために旧ＳＧＳＮ，すなわちＳＧＳＮ２０２が用いたＳＮＤＣＰパラメータでＡＢＭモードを再確立できる可能性はない。これに関しては３つの問題がある。第１に，ＳＧＳＮ２０４がどのような圧縮エンティティ，換言すればヘッダ又はデータ圧縮エンティティも提案しないとき，ＸＩＤリセット手続後にネゴシエーションされたＳＮＤＣＰ圧縮パラメータにおいて，ＭＳ１００が前に用いられたＳＮＤＣＰ圧縮パラメータを利用停止する保証がない。第２に，ＳＧＳＮ２０４がどのような圧縮エンティティも提案しても，ＭＳ１００がそれらを変更することができる保証はない。第３に，ＳＧＳＮ２０４が実際にヘッダ圧縮エンティティを提案したとき，ＲＦＣ１１４４ヘッダ圧縮又はＲＦＣ２５０７ヘッダ圧縮のどちらを既定として用いるべきかどうかに関しては疑問が残る。いくつかの移動機は第１の場合に正しく動作せず，またいくつかは第２，第３の場合に正しく動作しない。
【課題を解決するための手段】
【００１９】
本発明は，移動体ノードと，第１パケット交換ノードと，第２パケット交換ノードとを備える移動体通信ネットワークにおいて圧縮パラメータを送信する方法に関する。該方法においては，前記第２パケット交換ノードによって制御されるエリアに前記移動体ノードが入ったことが，前記第２パケット交換ノードに通知される。前記第１パケット交換ノードから前記第２パケット交換ノードへ，少なくとも１つの圧縮パラメータが受信される。前記第２パケット交換ノードが，前記少なくとも１つの圧縮パラメータのうち少なくとも１つを，論理リンクコネクションの第３層パラメータ再ネゴシエーションによって前記移動体ノードに通知する。
【００２０】
本発明はまたシステムに関し，それは，移動体ノードであって前記第２パケット交換ノードによって制御されるエリアに前記移動体ノードが入ったことを，前記第２パケット交換ノードに通知する移動体ノードと，第１パケット交換ノードとを備え，前記第２パケット交換ノードが，前記第１パケット交換ノードから少なくとも１つの圧縮パラメータを受信し，前記少なくとも１つの圧縮パラメータメタデータのうち少なくとも１つを前記移動体ノードへ，論理リンクコネクションの第３層パラメータネゴシエーションによって通知するように構成される。
【００２１】
本発明はまたパケット交換ノードに関し，それは，移動体ノードと圧縮パラメータをネゴシエーションし，信号通知プレーンプロトコルエンティティに少なくとも１つの圧縮パラメータを提供するように構成されたユーザプレーンプロトコルエンティティと，前記移動体ノードが新たなエリアに入ったことの指示を受信し，前記ユーザプレーンプロトコルエンティティに圧縮情報を要求し，応答として前記ユーザプレーンプロトコルエンティティから少なくとも１つの圧縮パラメータを受信し，かつ前記少なくとも１つの圧縮パラメータを第２パケット交換ノードへ送信するように構成された信号通知プレーンプロトコルエンティティとを備える。
【００２２】
本発明はまたパケット交換ノードに関し，それは，前記少なくとも１つの圧縮パラメータメタデータのうち少なくとも１つを前記移動体ノードへ，論理リンクコネクションの第３層パラメータ再ネゴシエーションによって通知するように構成されたユーザプレーンプロトコルエンティティと，前記移動体ノードが新たなエリアに入ったことの指示を受信し，前記ユーザプレーンプロトコルエンティティに圧縮情報を要求し，かつ応答として前記ユーザプレーンプロトコルエンティティから少なくとも１つの圧縮パラメータを受信するように構成された信号通知プレーンプロトコルエンティティとを備える。
【００２３】
本発明はまた，データ処理システム上で実行したときに次の各ステップを実行するように適応させたコードを含む計算機プログラムに関する。各ステップは，移動体ノードが第２パケット交換ノードによって制御されるエリアに入った情報を受信するステップと，第１パケット交換ノードから少なくとも１つの圧縮パラメータを受信するステップと，前記少なくとも１つの圧縮パラメータのうち少なくとも１つを前記移動体ノードへ，論理リンクコネクションの第３層パラメータ再ネゴシエーションによって通知するステップと，である。
【００２４】
本発明の１つの実施例においては，前記第３層がサブネットワーク依存性融合プロトコル（ＳＮＤＣＰ）層を含み，かつ前記第３層パラメータがサブネットワーク依存性融合プロトコル（ＳＮＤＣＰ）パラメータを含む。
【００２５】
本発明の１つの実施例においては，前記移動体ノードは，例えばＵＭＴＳ端末，ＧＳＭ端末，ＧＰＲＳ端末，ＷＬＡＮ端末，又は任意のセルラ無線システム内の端末などの移動体端末を含む。換言すれば，前記移動体ノードは，移動体通信システムにおける移動機（ＭＳ）であってもよい。
【００２６】
本発明の１つの実施例においては，前記移動体ノードは，例えばラップトップ計算機，パームトップ計算機，又はパーソナルデジタルアシスタント（ＰＤＡ）などの移動体計算機を含む。前記移動体計算機は，移動体通信システムにおいて前記移動体計算機を動作させるために必要な，前記移動機の機能性を提供するデータカードを備えてもよい。
【００２７】
本発明の１つの実施例においては，移動体通信システムは一般パケット無線サービス（ＧＰＲＳ）を含み，前記第１パケット交換ノード及び前記第２パケット交換ノードはサービス提供ＧＰＲＳサポートノード（ＳＧＳＮ）を含み，かつ前記論理リンクコネクションをＧＰＲＳ論理リンク制御（ＬＬＣ）コネクションである。本発明の１つの実施例においては，第３層パラメータ再ネゴシエーションは識別情報交換（ＸＩＤ）ネゴシエーションを含む。換言すれば，第３層パラメータ再ネゴシエーションはＸＩＤネゴシエーションを用いて行われる。本発明の１つの実施例においては，第２パケット交換ノードは少なくとも１つの圧縮パラメータのうち少なくとも１つを，識別情報交換（ＸＩＤ）ネゴシエーション手続又は非同期平衡モード（ＡＢＭ）確立手続の間に移動体ノードへ通知する。ＸＩＤネゴシエーションは，例えばＧＰＲＳ ＬＬＣプロトコルによって行われる。
【００２８】
本発明の１つの実施例においては，第２パケット交換ノードによって制御されるエリアは経路制御エリア（ＲＡ）であって，それは第２パケット交換ノードに属する。
【００２９】
本発明の１つの実施例においては，移動体ノードは新たなエリアに自分が入ったことを検知する。そのエリアは，例えば経路制御エリアである。そこで移動体ノードは，自分が新たな経路制御エリアに入ったことを基地局サブシステムに通知する。基地局サブシステムは，移動機が第２パケット交換ノードによって制御される経路制御エリアに入ったことを第２パケット交換ノードへ通知する。基地局サブシステムから経路制御エリア更新メッセージを受信すると，第２パケット交換ノードは第１パケット交換ノードに移動体ノードについての情報を要求する。
【００３０】
本発明の１つの実施例においては，移動体ノードから第２パケット交換ノードに経路制御エリア更新メッセージを送信するステップが，移動体ノードが第２パケット交換ノードによって制御されているエリアに入ったことを第２パケット交換ノードに通知するステップを実行する。換言すれば，移動体ノードが例えば第２パケット交換ノードによって制御されている経路制御エリアなどのエリアに入ると，移動体ノードは第２パケット交換ノードに経路制御エリア更新メッセージを送信する。そこで第２パケット交換ノードは，移動体ノードが自身の制御するエリア内にいることに気付く。
【００３１】
本発明の１つの実施例においては，少なくとも１つの圧縮パラメータが，圧縮エンティティと，前記圧縮エンティティが用いるアルゴリズムと，前記圧縮エンティティに関連付けられた状態情報とに関する情報を含む。
【００３２】
本発明の１つの実施例においては，前記第２パケット交換ノードによって制御されるエリアに前記移動体ノードが入ったことを前記第２パケット交換ノードに通知する前記ステップが，前記第１パケット交換ノードから前記第２パケット交換ノードへハンドオーバ準備要求メッセージを送信するステップを実行する。
【００３３】
本発明の１つの実施例においては，少なくとも１つの圧縮パラメータのうち少なくとも１つを移動体ノードに通知するステップが，識別情報交換ネゴシエーションの間に実行される。
【００３４】
本発明の１つの実施例においては，ユーザプレーンプロトコルエンティティは，サブネットワーク依存性融合プロトコル（ＳＮＤＣＰ）層エンティティを含む。信号通知プレーンプロトコルエンティティは，ＧＰＲＳトンネリングプロトコル（ＧＴＰ）エンティティ又はＧＴＰプロトコルエンティティと通信するアプリケーションエンティティを含む。プロトコルエンティティは，例えばソフトウェアモジュール，プログラムブロック又はスレッドとして実装することができる。各プロトコルエンティティ間の情報交換は，例えばメッセージ交換（ｐａｓｓｉｎｇ）又は共有メモリバッファのようなプロセス間通信機構を用いて行うように構成される。
【００３５】
本発明の１つの実施例においては，第２パケット交換ノードは例えば基地局コントローラ又は基地局などの基地局サブシステム（ＢＳＳ）ノードである。本発明の１つの実施例においては，第１パケット交換ノード又は第２パケット交換ノードは，リンク層においてデータパケットの転送及び交換を行うノードである。本発明は，例えばＩＰルータのようにネットワーク層レベルにおいてパケットを交換するパケット交換ノードに限定されない。本開示全体を通してパケットとは，例えばネットワーク層パケット，リンク層フレーム，非同期転送モード（ＡＴＭ）セルなどの任意のプロトコル層に関するデータパケットを指す。
【００３６】
本発明の１つの実施例においては，第１パケット交換ノードが第２パケット交換ノードにハンドオーバ準備を要求すると，少なくとも１つの圧縮パラメータが第１パケット交換ノードから第２パケット交換ノードへ受信される。これは，少なくとも１つの圧縮パラメータが，ハンドオーバ準備を要求するメッセージ内で第１パケット交換ノードから第２パケット交換ノードへ送信されることを意味する。
【００３７】
本発明の１つの実施例においては，移動体ノードとパケット交換ノードとの間で論理リンク層フレーム又は任意のほかのメッセージを送信するステップが無線接続ネットワークを介して実行され，それで基地局コントローラと，無線ネットワークコントローラと，基地局とのような１以上の中間ネットワーク要素によって，フレーム及びメッセージが転送される。本発明の１つの実施例においては，第１パケット交換ノード及び第２パケット交換ノードは基地局に直接接続され，無線ネットワーク制御手続を直接管理する。
【００３８】
本発明の１つの実施例においては，計算機プログラムは計算機可読媒体に格納される。計算機可読媒体は，着脱可能メモリカード，磁気ディスク，光ディスク又は磁気テープであってもよい。
【発明の効果】
【００３９】
本発明の効果は，移動体ノードを出入りするデータ送信の信頼性改善に関する。本発明によって今や，移動体ノードが第１パケット交換ノードによって制御されるエリアから第２パケット交換ノードによって制御されるエリアに移動したときでさえ，中断することのないパケットデータコネクションを提供できる。パケットデータコネクションは，第２パケット交換ノードが前に用いたものとは別の圧縮パラメータを提案すれば，もはや終了しない。
【発明を実施するための最良の形態】
【００４０】
付属する図面は，本発明の更なる理解を深めるために含められ，本願明細書の一部を成すものであって，本発明の実施例を本発明の原理を説明するのを助ける記述と共に図示すものである。
【００４１】
ここで，付属の図面にその例が図示される本願発明の実施例を詳細に参照する。
【００４２】
図５は，圧縮パラメータ転送のための方法の１つの実施例を図示するフローチャートであって，図４に示した経路制御エリア更新信号通知を利用する。信号通知はＧＰＲＳシステムアーキテクチャによって行われ，図１及び図２に示されている。ステップ５００において，ＭＳ１００は経路制御エリア（ＲＡ）更新条件を待つ。ＲＡ更新条件は，ＭＳ１００が新たなセル（図示されていない）を使用開始しなければならないことを指示するイベントを検出すると満たされる。新たなセルは新たな経路制御エリア内にあり，その経路制御エリアは新たなＳＧＳＮ２０４によって制御される。ＭＳ１００は矢印４０１で示すように経路制御エリア更新要求メッセージをＳＧＳＮ２０４に送信する。そこで方法はステップ５０２に続く。
【００４３】
ステップ５０２において，ＳＧＳＮ２０４は矢印４０２で示したＳＧＳＮコンテキスト要求メッセージをＳＧＳＮ２０２へ送信し，ＭＳ１００のための移動性管理及びＰＤＰコンテキストを取得する。ＳＧＳＮ２０２はＳＮＤＣＰエンティティ２５２に関連付けられたＳＮＤＣＰパラメータを取得する。ＳＮＤＣＰパラメータは，少なくともＳＮＤＣＰ圧縮パラメータを含む。ＳＧＳＮ２０２は，ＳＮＤＣＰパラメータ４５０をＳＧＳＮコンテキスト応答メッセージに含める。本発明の１つの実施例においては，ＳＮＤＣＰパラメータは専用拡張情報要素へのパケットであり，任意のＧＰＲＳトンネリングプロトコル（ＧＴＰ）信号通知メッセージに含まれる。ＧＴＰ及び専用拡張情報要素は，３ＧＰＰ仕様書２９．０６０に規定されている。専用拡張情報要素によって搬送されるＳＮＤＣＰパラメータ形式は，ＸＩＤネゴシエーション手続において用いられるものと同一である。その形式は３ＧＰＰ仕様書４４．０６５に規定されており，その仕様書はＧＰＲＳにおけるＳＮＤＣＰプロトコル層を規定している。そこでＳＧＳＮ２０２は，矢印４０３で示したＳＧＳＮコンテキスト応答メッセージで応答する。ＳＧＳＮ２０４はＳＮＤＣＰパラメータを取得し，それらをＳＮＤＣＰエンティティ２５４に提供する。ＳＧＳＮコンテキスト応答メッセージはまた，ＭＳ１００に関連付けられた移動性管理コンテキスト及び少なくとも１つのＰＤＰコンテキストを提供する。
【００４４】
ステップ５０４において，ＳＧＳＮ２０４はＸＩＤリセット手続を開始する。ＳＮＤＣＰエンティティ２５４は，ＬＬＧＭＭ−ＲＥＳＥＴプリミティブを用いてサービス接続点識別子１と関連付けられたＬＬＣエンティティにＸＩＤリセット手続を要求する。そこでＬＬＣエンティティはＸＩＤコマンドフレームを形成し，ＸＩＲリセットパラメータ及びＩＯＶ−ＵＩパラメータと共に提供する。ＬＬＣエンティティはＸＩＤコマンドを矢印４０４で示すように対向ＬＬＣエンティティに送信する。対向ＬＬＣエンティティは，すべてのほかのＳＡＰＩをリセットし，既定値が用いられるようになる。
【００４５】
ＭＳ１００内の対向ＬＬＣエンティティは，ＸＩＤ応答メッセージを準備し，矢印４０５で示すようにＳＧＳＮ２０４へ送信する。ＳＧＳＮ２０４内のＬＬＣエンティティは，ＳＮＤＣＰエンティティ２５４へＬＬＧＭＭ−ＲＥＳＥＴ−ＣＮＦプリミティブで応答し，ＳＮＤＣＰエンティティはリセット及びＩＯＶ−ＵＩのＸＩＤネゴシエーションが成功したことを検証する。
【００４６】
ＳＧＳＮコンテキスト要求メッセージからＳＧＳＮ２０４のアドレスを受信した後，ＳＧＳＮ２０２は矢印４０６で示すようにパケットをＳＧＳＮ２０４へ転送開始することができる。ＳＧＳＮ２０４は，ＭＳ１００のための活性なＰＤＰコンテキストを有するＧＧＳＮ内のＰＤＰコンテキストを更新しなければならない。ＰＤＰコンテキスト更新は，例えばＧＧＳＮのための新たなＳＧＳＮのアドレスを規定する。ＳＧＳＮ２０４は，それぞれ矢印４０７及び４０８で示すように，ＰＤＰコンテキスト更新要求メッセージをＧＧＳＮ２００へ送信し，肯定応答としてＰＤＰコンテキスト更新応答メッセージを受信する。経路制御エリア更新は，矢印４０９で示すようにＳＧＳＮ２０４がＭＳ１００へ送信する経路制御エリア更新受諾メッセージで肯定応答される。
【００４７】
ステップ５０６において，ＳＧＳＮ２０４は矢印４１０で示すように，ＳＧＳＮ２０４への経路制御エリア更新完了メッセージを待つ。
【００４８】
ステップ５０８において，ユーザプレーンデータを搬送する少なくとも各論理リンクコネクションと関連付けられた第３層パラメータが再ネゴシエーションされる。コネクションの再ネゴシエーションは，例えば，ＸＩＤリセットの前にＡＢＭモードであった対向ＬＬＣエンティティと，ＸＩＤリセットの前に非同期切断モード（ＡＤＭ）であった対向ＬＬＣエンティティとの間のコネクションのためのＡＢＭモード再確立を含む。例えば，ステップ５０８においてＳＧＳＮ２０４内の図４のＳＮＤＣＰエンティティ２５４は，ＸＩＤリセットの前にＡＢＭモードであったすべてのＬＬＣエンティティにＡＢＭモード再確立を要求する。図４に示した場合においては，ＳＧＳＮ２０４内にＡＢＭモードを再確立しなければならないＬＬＣエンティティが１つある。ＳＮＤＣＰエンティティは，ＬＬ−ＥＳＴＡＢＬＩＳＨ−ＲＥＱプリミティブを用いてＡＢＭモード確立を要求し，そのプリミティブは次に圧縮パラメータを含むＳＮＤＣＰパラメータを提供する。図４において，ＳＧＳＮ２０４内のＬＬＣエンティティは，矢印４１１で示すようにＳＡＢＭメッセージを送信する。ＳＡＢＭメッセージはＸＩＤパラメータを含む。ＸＩＤパラメータはＳＮＤＣＰパラメータ４５０を第３層パラメータとして含む。ＸＩＤネゴシエーションは，ＳＢＭモード再確立の一部として行われる。受信した第３層パラメータは，ＭＳ１００内のＬＬＣエンティティによってＭＳ１００内のＳＮＤＣＰエンティティ２３０へ送信される。ＳＮＤＣＰエンティティ２３０は，ＭＳ１００が新たなセルを用いている間，ＳＮＤＣＰパラメータのいくつかを自身の要求により良く適合するように変更することができる。例えば，ＭＳ１００は新たなセル内で利用できるデータ転送レートにより良く適合するように，少なくとも１つの圧縮アルゴリズム及びその圧縮パラメータを変更するように決定できる。ＳＮＤＣＰエンティティ２３０は，変更したＳＮＤＣＰパラメータをＭＳ１００内のＬＬＣエンティティに提供し，ＭＳはＳＮＤＣＰエンティティ２３０によって変更されたＳＮＤＣＰパラメータ４５１をＸＩＤパラメータとして含む非番号制肯定応答（ＵＡ）メッセージで応答する。ＭＳ１００からＳＧＳＮ２０４に送信されたＵＡメッセージは，矢印４１２で示されている。受信したＳＮＤＣＰパラメータ４５１は，ＳＧＳＮ２０４内のＬＬＣパラメータによってＳＮＤＣＰエンティティ２５４に提供される。
【００４９】
ＸＩＤリセットの前に非同期切断モード（ＡＤＭ）であった対向ＬＬＣエンティティ間のＸＩＤネゴシエーションは，ＸＩＤコマンドメッセージとＸＩＤ応答メッセージとの交換を伴い，それらのメッセージは例えばＳＮＤＣＰパラメータなどのＸＩＤパラメータを搬送する。
【００５０】
ネゴシエーションが成功した後，ステップ５１０においてＭＳ１００内のＳＮＤＣＰエンティティ及びＳＧＳＮ２０４は，再ネゴシエーションされたＳＮＤＣＰパラメータを有する論理リンクコネクション上でパケットを送信開始することができる。
【００５１】
本発明の１つの実施例においては，新たなＳＧＳＮを介して移動機にリアルタイムパケットストリームを送信しなければならないとき，ＳＮＤＣＰパラメータもまたハンドオーバ処理の間に送信され，新たなＳＧＳＮが移動機が旧セルからハンドオーバを行うセルにサービスを提供する。その場合，ＳＮＤＣＰパラメータは，例えば旧セルから新セルへ送信されるハンドオーバ要求メッセージに関連付けて送信される。そこで，ＳＮＤＣＰパラメータが移動機に提供される。
【００５２】
図６は本発明の１つの実施例におけるサービス提供ＧＰＲＳサポートノード（ＳＧＳＮ）のアーキテクチャを図示するブロック図である。図６にはＳＧＳＮ６００がある。ＳＧＳＮ６００はユーザプレーンプロトコルスタック対６１０を備える。プロトコルスタック対６１０は，Ｇｂインタフェース上の通信のためのプロトコルスタックと，ＧＧＳＮと通信するためのプロトコルスタックと，２つのプロトコルスタック間でパケットを中継する中継機能とを含む。ＳＧＳＮ６００はまた，もう１つのＳＧＳＮと通信するためのプロトコルスタック６１２も備える。プロトコルスタック６１２は，制御プレーンのためのＧＰＲＳトンネリングプロトコル（ＧＴＰ）である。もう１つのＳＧＳＮからＳＧＳＮコンテキスト要求メッセージを受信すると，ＧＴＰ−Ｃプロトコルエンティティ６０４はＳＮＤＣＰエンティティ６０２にＳＮＤＣＰパラメータを要求するように構成される。ＧＴＰ−Ｃプロトコルエンティティ６０４からリクエストを受信すると，ＳＮＤＣＰエンティティ６０２は，ＳＧＳＮコンテキスト要求メッセージ内で取得したＴＬＬＩを用いて指定される移動機と関連付けられたＳＮＤＣＰエンティティ６０２において保持されている情報を収集するように構成される。ＳＮＤＣＰパラメータは，圧縮エンティティに関する少なくともＳＮＤＣＰ圧縮パラメータを，各圧縮エンティティのアルゴリズム及びパラメータと共に含む。ＳＮＤＣＰエンティティ６０２は，要求に応答し，ＧＴＰ−Ｃプロトコルエンティティ６０４にＳＮＤＣＰパラメータを提供するように構成される。本発明の１つの実施例においては，ＧＴＰ−Ｃプロトコルエンティティ６０４は，個別にＳＮＤＣＰエンティティ６０２に問い合わせることなく，ＳＧＳＮにおいていつも用いられるＳＮＤＣＰ圧縮パラメータ既定値を返すように構成される。ＳＮＤＣＰエンティティ６０２からＧＴＰ−Ｃプロトコルエンティティ６０４への情報提供は，図６において矢印６０６で示されている。
【００５３】
当技術の当業者にとって，技術の進歩に伴い，本発明の基本的思想をさまざまな方法で実装できることは明らかである。したがって，本発明及びその実施例は上述の例に限定されず，本願請求項の範囲内で変更できるものである。
【図面の簡単な説明】
【００５４】
【図１】ＧＳＭ／ＥＤＧＥ無線ネットワーク（ＧＥＲＡＮ）に関連した，一般パケット無線システム（ＧＰＲＳ）におけるアーキテクチャ及びプロトコルスタックを示すブロック図である。
【図２】先行技術による一般パケット無線サービス（ＧＰＲＳ）ネットワークにおける経路制御エリア更新前後のパケット送信を示すブロック図である。
【図３】先行技術によるＧＰＲＳネットワークにおける経路制御エリア更新信号通知を図示する信号図である。
【図４】本発明に従う経路制御エリア更新信号通知を図示する信号図である。
【図５】本発明に従う圧縮パラメータ転送のための方法の１つの実施例を図示するフローチャートである。
【図６】本発明の１つの実施例におけるサービス提供ＧＰＲＳサポートノードのアーキテクチャを図示するブロック図である。
【図１】
2008502188.tif 000003
【図２】
2008502188.tif 000004
【図３】
2008502188.tif 000005
【図４】
2008502188.tif 000006
【図５】
2008502188.tif 000007
【図６】
2008502188.tif 000008
【国際調査報告】
2008502188.tif 000009
2008502188.tif 000010